(57)【要約】【課題】簡易な構造により強度を確保することができるダンボール製折畳み式建屋を提供することを課題とする。【解決手段】ダンボール製折畳み式建屋１は、個室空間２を構成する複数の側壁３ａ〜３ｃと、複数の側壁３ａ〜３ｃの一つに連接された扉壁４と、を備える。扉壁４が連接された側壁３ａと対向する側壁３ｃは、扉壁４の戸当りの位置に、柱状に折り曲げられてなる戸当り部１０を有している。【選択図】  図１
0003149473.tif 000002
【実用新案登録請求の範囲】
【請求項１】
ダンボール製折畳み式建屋であって、
個室空間を構成するための複数の側壁と、
前記複数の側壁の一つに開閉可能に連接された扉壁と、を備え、
前記扉壁が連接された側壁と対向する側壁（以下、「第１側壁」という。）は、当該扉壁の戸当りの位置に、柱状に折り曲げられてなる戸当り部を有する、折畳み式建屋。
【請求項２】
前記戸当り部は、前記第１側壁の一端から三角柱状に折り曲げられてなる、請求項１に記載の折畳み式建屋。
【請求項３】
前記戸当り部は、
前記第１側壁の一端から延長し前記個室空間の出入口の一部を塞ぐように位置する第１の壁体延長部と、
前記第１の壁体延長部の一端から前記第１側壁に向かって延長する第２の壁体延長部と、
前記第２の壁体延長部の一端から前記第１側壁に沿って延在し、当該第１側壁に固定される第３の壁体延長部と、を有する、請求項２に記載の折畳み式建屋。
【請求項４】
前記第３の壁体延長部の高さは、前記第１及び第２の壁体延長部の高さよりも短い、請求項３に記載の折畳み式建屋。
【請求項５】
前記扉壁は、当該扉壁を閉じた状態に固定するためのロック部を有し、
前記第１及び第２の壁体延長部の少なくとも一方には、前記ロック部が受容されるためのロック溝が形成されている、請求項３又は４に記載の折畳み式建屋。
【請求項６】
前記複数の側壁に連結された棚、床及び屋根の少なくとも一つを有する、請求項１ないし５のいずれか一項に記載の折畳み式建屋。
【請求項７】
前記屋根の上面及び前面の少なくとも一つに、当該屋根を構成するダンボールに切り込みを入れることで形成された窓を備えた、請求項６に記載の折畳み式建屋。
【請求項８】
前記床は、前記個室空間の出入口側に、当該床を構成するダンボールの一部を下側に折り曲げることで形成された段潰しを有する、請求項６に記載の折畳み式建屋。
【請求項９】
前記ロック部は、前記扉壁に沿ってスライド移動可能に構成され、前記ロック溝に受容された際に前記扉壁を閉じた状態に固定するスライド部材を有する、請求項５ないし８のいずれか一項に記載の折畳み式建屋。
【請求項１０】
前記ロック部は、前記扉壁に回動可能に連結され、前記ロック溝に受容された際に前記扉壁を閉じた状態に固定する回転部材を有する、請求項５ないし８のいずれか一項に記載の折畳み式建屋。
【考案の詳細な説明】
【技術分野】
【０００１】
本考案は、ダンボール製折畳み式建屋に関するものである。
【背景技術】
【０００２】
被災地、海水浴場、建設現場、及び催物会場等では、一定の期間だけ使用するための臨時設備として、仮設の建屋が設置されることがある。この種の仮設の建屋としては、トイレ、更衣室、シャワー室、および倉庫が挙げられる。組立て式のトイレに適用した折畳み式建屋としては、複数の個室空間を互いに隣接して構成したもの等が知られている（例えば、特許文献１参照）。この折畳み式建屋は、一辺側が互いに連結された複数の平板状の壁体を備えている。複数の壁体は、互いに重なり合った折畳み状態から、連結された一辺側を中心として放射状に展開されることで、一対の壁体間に平面視略三角形状の個室空間を画成する。
【先行技術文献】
【特許文献】
【０００３】
【特許文献１】特許第４１１７３２１号
【考案の概要】
【考案が解決しようとする課題】
【０００４】
このような従来の折畳み式建屋は、組立てが容易であることに加えて、屋外で使用したり、シャワー室等として用いられたりすることを前提としているため、強度のみならず耐水性を必要とした。そのため、従来の折畳み式建屋は、部品として、例えばプラスチック材等の耐水性材料を用いる必要があり、故に、製造コストが高くなり、重量も重くなってしまう傾向があった。また、建屋としての耐用期間を終了する際の処理にも多額の費用が発生する場合もあった。
【０００５】
一方で、災害時の避難場所として、体育館等の室内空間に、不特定多数の面識の無い人間が生活を強いられる状況が生じることが想定される。災害現場でプライバシーが無い生活を長時間強いられることで、そこで生活する多くの人間は、肉体的な苦痛以上に精神的な苦痛を被るといわれている。そのため、例えば、トイレ、授乳、携帯電話の使用、及び更衣等の行為の際、プライバシーを担保するための空間として従来の屋外用の折畳み式建屋を用いようとすると、高価であることにより複数台の導入が困難であるばかりか、重量が大きいことで組み立て時の取り扱いが難しく、設置時に体育館の床等を損傷させてしまうという問題があった。一方で、単純に、材料コスト及び重量を下げたダンボールで建屋を作ろうとすると、強度の低下を招いてしまう。
【０００６】
本考案は、簡易な構造により強度を適切に確保することができるダンボール製折畳み式建屋を提供することをその目的としている。
【課題を解決するための手段】
【０００７】
本考案のダンボール製折畳み式建屋は、個室空間を構成する複数の側壁と、複数の側壁の一つに開閉可能に連接された扉壁と、を備え、扉壁が連接された側壁と対向する側壁（以下、第１側壁。）は、扉壁の戸当りの位置に、柱状に折り曲げられてなる戸当り部を有するように構成されたものである。
【０００８】
戸当りは開閉のたびに扉壁が接触する部分であるゆえ、ダンボール製とした場合には特に強度の確保が求められる。この点、本考案によれば、戸当り部を上記のように構成しているので、戸当り部の強度を向上することができ、扉壁の開閉時における建屋の強度を向上させることができる。また、戸当り部を折り曲げにより構成しているので、簡易な構造とすることができる。
【０００９】
この場合、戸当り部は、第１側壁の一端から三角柱状に折り曲げられてなることが好ましい。こうすることで、例えば四角柱状にする場合よりも、より簡易で、しかも強度もより一層向上することができる。
【００１０】
この場合、戸当り部は、第１側壁の一端から延長し個室空間の出入口の一部を塞ぐように位置する第１の壁体延長部と、第１の壁体延長部の一端から第１側壁に向かって延長する第２の壁体延長部と、第２の壁体延長部の一端から第１側壁に沿って延在し、第１側壁に固定される第３の壁体延長部と、を有することが好ましい。
【００１１】
この場合、第３の壁体延長部の高さは、第１及び第２の壁体延長部の高さよりも短いことが好ましい。三つの壁体延長部の高さが同一である場合に比べて、第１側壁に対する第３の壁体延長部の固定作業を簡素化できる。
【００１２】
これらの場合、扉壁は、扉壁を閉じた状態に固定するためのロック部を有し、第１及び第２の壁体延長部の少なくとも一方には、ロック部が受容されるためのロック溝が形成されていることが好ましい。この構成によれば、建屋の利用者のプライバシーをより効果的に守ることができる。
【００１３】
この場合、本考案の折畳み式建屋は、前記複数の側壁に連結された棚、床、及び屋根の少なくとも一つを有することが好ましい。この構成によれば、建屋の強度を更に向上させることができる。
【００１４】
この場合、屋根の上面及び前面の少なくとも一つに、屋根を構成するダンボールに切り込みを入れることで形成された窓を備えることが好ましい。これにより、簡易な構成で、利用者の必要に応じて、採光又は換気が可能な建屋を提供することができる。
【００１５】
この場合、床は、個室空間の出入口側に、床を構成するダンボールの一部を下側に折り曲げることで形成された段潰しを有することが好ましい。この構成によれば、人に踏まれる頻度が高い部分を補強することができる上、ダンボールの断面を露出させなくて済む。
【考案の効果】
【００１６】
本考案の折畳み式建屋によれば、簡易な構造で強度およびプライバシーを適切に確保することが可能となる。
【図面の簡単な説明】
【００１７】
【図１】本考案の第一実施形態に係るダンボール製折畳み式建屋の組立て状態の構成を示す斜視図である。
【図２】図１の折畳み式建屋の戸当り部まわりの拡大平面図である。
【図３】図１のダンボール製折畳み式建屋の複数の側壁の展開図である。
【図４】図１のダンボール製折畳み式建屋の床体の展開図である。
【図５】図１のダンボール製折畳み式建屋の屋根体の展開図である。
【図６】本考案の第二実施形態に係るダンボール製折畳み式建屋の組立て状態の構成を示す分解斜視図である。
【図７】図６のダンボール製折畳み式建屋の回転式ロックを示す拡大正面図である。
【考案を実施するための形態】
【００１８】
以下、添付図面を参照して、本考案の好適な実施形態に係る折畳み式建屋について説明する。
【００１９】
図１は、ダンボール製折畳み式建屋１の第一実施形態を示す斜視図である。
ダンボール製折畳み式建屋１は、図示省略した折畳み状態から図１に示すように組み立てられ、個室空間２を形成する状態（以下、個室状態という）にすることができる。ここで、図１の建屋１を参照すると、個室空間２内には汎用的に用いられる折畳み式の棚体５、設置床と接触する床体６、および天井部分に屋根体７が設けられており、後述するように、これら構成体が個室保持手段の一つとして各々機能している。棚体５、床体６、屋根体７は、各々が同時に建屋本体３と共に用いられても良いし、求められる強度やシチュエーションに応じて、それら構成体のうち任意の二つ若しくは一つが用いられるだけでも良い。
【００２０】
建屋本体３は、個室空間２を構成するための複数の側壁として、三枚の壁体３ａ，３ｂ，３ｃを有している。三枚の壁体３ａ，３ｂ，３ｃは、一枚のダンボールからなり、個室状態を形成するために全体としてコ字状に折り曲げられる。壁体３ａの一端部には扉体４が連接されており、扉体４を前後方向に回動することで、個室空間２の出入口２ａを開閉することができるようになっている。また、扉体４の戸当りの位置、すなわち壁体３ａに対向する壁体３ｃの一端部には、柱状の戸当り部１０が形成されている。なお、個室空間２を構成する側壁の数は、個室空間２の平面形状（例えば、本実施形態のような四角形のほか、台形及び三角形が考えられる。）により異なり、例えば平面視三角形の個室空間２の場合には、側壁は２枚となる。
【００２１】
図２は、図１の戸当り部１０まわりの平面図である。また、図３は、建屋本体３を展開した状態を示す図である。
図１及び３を参照するに、壁体３ａと壁体３ｂとが直角をなすように折り目３１に沿って折り曲げられ、同様に、壁体３ｂと壁体３ｃとが直角になすように折り目３２に沿って折り曲げられて、個室空間２が形成されている。この状態では、個室空間２を挟んで壁体３ａと壁体３ｃとが平行に対向する。
【００２２】
図１に示されているように、個室状態を堅牢に維持するために、例えば個室保持手段としての棚体５を用いることができる。ここで、棚体５は、壁体３ａ〜３ｃに形成された壁体連結孔８ａ〜８ｄと、組み立て状態で壁体連結孔８ａ〜８ｄに対応するように棚板５に形成された棚体連結孔（図示省略）とを連結具９で接続することで、壁体３ａ〜３ｃに亘って固定される。ここで用いられる連結具９は、双方の部材を固定できるものであれば特に限定されるものではない。
【００２３】
図３を参照すると、壁体３ｃの開放端部は、壁体３ａの開放端部と比較して、戸当り部１０を構成する壁体延長部３ｄ、３ｅ、３ｆの分だけ延長されている。壁体３ｃと壁体延長部３ｄの境界部分、及び、壁体延長部３ｄ〜３ｆ間の境界部分は折り目３３〜３５が形成されている。また、壁体延長部３ｆは、壁体延長部３ｄ、３ｅと比較して、建屋１の高さ方向に短くなっている。
【００２４】
ここで、図２に示すように、組立て状態で戸当り部１０を構成するためには、展開状態の壁体延長部３ｄを折り目３３に沿って壁体３ａの方へ９０度折り曲げ、壁体延長部３ｅを壁体３ｃの内壁へ向けて折り目３４に沿って折り曲げる。さらに、壁体延長部３ｆを壁体３ｃの内壁に沿わすように折り目３５で折り曲げる。そして、壁体３ｃの壁体連結孔８ｅ〜８ｇと壁体延長部３ｆの連結孔８ｅ'〜８ｇ’とを連結具９で接続することで、図２に示されるような平面視三角形状の中空の柱、すなわち戸当り部１０が形成される。戸当り部１０は、床体６と屋根体７との間で上下方向に延在しており、建屋１の高さ方向の剛性を高めるだけでなく、その一つの面である壁体延長部３ｄが戸当りとして機能するので、扉体４の開閉に際して壁体３ｃが変形したり、傷んだりすることを防ぐことが出来る。なお、図１及び２に示すように、壁体延長部３ｄは、出入口２ａの一部を塞ぐように且つ床体６の前端面と面一となるように位置する。
【００２５】
なお、戸当り部１０は柱状に折り曲げられなるものであるが、その形状は上記した三角形に限らない。例えば、戸当り部１０を平面視四角形、台形及び円形などの中空の柱状とすることもできる。ただし、個室空間２のスペースをできるだけ占有することなく、しかも、より簡易に強度の向上を図るには、戸当り部１０を三角形の柱状にすることが望ましい。
【００２６】
個室空間２を外界と遮断しつつ、個室空間２への出入りを可能とするための扉体４は、扉体３ａの開放端部に対して接着剤で貼りつけることで接続し、その接続部を中心として開閉可能となるように構成することができる。あるいは、壁体３ａに形成した壁体連結孔（図示せず）と、それに対応する扉体連結孔（図示せず）とを用いて接続することで、扉体４を本体３に開閉可能に取り付けることもできる。扉体４は、組み立て状態で壁体３ａの開放端と一致する折り目を有しており、当該折り目に沿って、戸当り面３ｄに当たるように折り曲げられることで開閉可能となる。
【００２７】
さらに、図３を参照すると、壁体３ｃと壁体延長部３ｄとの折り目３４を跨いで方形のロック溝１１が形成されている。一方、扉体４の個室空間２側には、戸当り部１０に設けられたロック溝１１に対応する位置に、スライド式ロック１２（ロック部）が設けられている。スライド式ロック１２は、図１に示すように、扉体４の内面に固定された保持部材１３と、扉体４に沿ってスライド移動するように保持部材１３に保持されたスライド部材１４と、を備えている。ロック溝１１は、戸当りが形成された場合に（すなわち組立て状態で）、スライド部材１４を受け入れるための開口となる。建屋の扉鍵として機能するように、スライド部材１４をロック溝１１の縁部に引っ掛けることで、扉体４が閉じた状態に固定されるようになっている。なお、スライド式ロック１２は、各種のものを用いることができ、例えば、強度を担保するためにプラスチックや金属などの耐久性の高い材料を用いて形成することができる。
【００２８】
図４は、床体６の展開状態を示す図である。床体６は、個室空間２の方形状に対応して、平面視、略方形状からなる。床体６の略方形状の三辺の張り出し部（６ａ、６ｂ、６ｃ）は、折り目６１〜６３で直角に折り曲げられ、各々３つの壁体（３ａ、３ｂ、３ｃ）の下部に、互いの連結孔（８ｈ〜８ｍ及び８ｈ’〜８ｍ’）を介して連結具９により連結される。扉体４の下部に対応する残りの一辺側からは床体延長部６ｄが張り出しており、折り目６４で建屋１の底方向（折り目６１〜６３とは逆の方向）に折り曲げられる。この折り曲げによって段潰し部６５が形成され、建屋１の出入り口２ａの直下部分の強度が強化される。これにより、例えば車椅子などで出入りする場合に、その車輪等からの圧力で床体６の入り口部が変形したり痛んだりすることを防止することが出来る。なお、床体６の張り出し部６ａ〜６ｃを壁体３ａ〜３ｃの内壁に固定する方法を採用してもよい。
【００２９】
図５は、屋根体７の展開状態を示す図である。屋根体７は、個室空間２の略方形状に対応して、平面視、略方形状からなる。屋根体７の略方形状の三辺の張り出し部（７ａ、７ｂ、７ｃ）は、折り目７１〜７４で直角に折り曲げられ、各々３つの壁体（３ａ、３ｂ、３ｃ）の上部に、互いの連結孔（８ｎ〜８ｓ及び８ｎ’〜８ｓ’）を介して連結具９により連結される。また、張り出し部７ｄの両端部は、張り出し部７ｆ及び７ｇに、対応する連結孔８ｔ、８ｔ’及び連結孔８ｕ、８ｕ’を介して連結具９により連結される。
【００３０】
屋根体７の張り出し部７ｄは、扉体４を閉じた状態で、扉体４の上方に位置するものである。張り出し部７ｄには、ミシン目などの切り込みにより略台形状に形成された切り込み部７５があり、必要に応じミシン目に沿って切り抜いたり、一部分を残したまま、「ひさし」のように開放させることが可能である。これによって、建屋１の扉体４の上方にて、必要に応じた採光・換気が実現される窓を構成できるだけでなく、切り取らずにそのまま使用すれば密閉型の建屋１として利用することも出来る。
【００３１】
さらに、図５に示されているように、屋根体７の天井７ｅには略正方形の切り込み部分７６が設けられ、同様に必要に応じミシン目に沿って切り抜いたり、一部分を残したまま開放することが可能である。これによって、個室空間２の上方にて、必要に応じた採光・換気が実現される窓を構成できるだけでなく、切り抜かずにそのまま使用すれば、密閉型の建屋１として利用することも出来る。
【００３２】
以上説明した壁体３、扉体４、棚体５、床体６、及び屋根体７は、その何れもがダンボール（紙材）で形成される。よって、場合に応じてカッターナイフのような切断手段で加工したり、表面に識別符号となる文字等を書き込んだりすることが容易である。また、表面に印刷等を施すことで商業的な効果を望むこともできる。さらに、耐用期間を経過した後はスライド式ロック１２や連結具９を取り外し、本体部分を焼却処理することも容易である。その際、取り外したスライド式ロック１２や連結具９は再利用可能である。なお、素材のダンボールとして耐水性のものを用いることもできる。また、屋根体７の一部又は全部を半透明のプラスチックダンボールで形成し、採光を広く確保することもできる。
【００３３】
図６は、ダンボール製折畳み式建屋１の第二実施形態を示す分解斜視図である。
図６のダンボール製折畳み式建屋１は、建屋本体３及び扉体４の板構造に関し、図１の建屋１とは主に次の二点で異なっている。
第１の相違点は、図６の建屋１では、建屋本体３における壁体３ａ，３ｂ，３ｃが一枚のダンボールからなるのではなく、壁体３ｂと壁体３ｃとがその境界線３２において接着剤あるいは連結具等を用いて接続することで連接されている点である。第２の相違点は、図６の建屋１では、壁体３ｃと扉体４とが接着剤あるいは連結具等を用いて接続されているのではなく、境界線３６において折り曲げられる形で一枚のダンボールからなっている点である。このような構成とすることで、図１の建屋１に比べて、扉体４の開閉を繰り返すことによる扉体４のヒンジ部分（境界線３６）の剥離や損傷を防ぎ、建屋１の耐久性を向上させることが出来る。
【００３４】
さらに、図６には、床体６の底面６ｅと略同形でその表面を覆う、ベニヤ板等であってよい床体保護板９１が設けられている。床体保護板９１は、例えば車椅子などの車輪等からの局所的な圧力で床体６の表面が痛むことを防ぎ、建屋１の耐久性をさらに向上させることが出来る。
【００３５】
図７は、図６に示した、扉体４の個室空間２側の、ロック溝１１に対応する位置に設けられた回転式ロック２２（ロック部）を示す平面図である。
回転式ロック２２は、ベース部材２３と回転部材２４とからなる。ベース部材２３は、扉体４に形成されたロック体連結孔２５’及び２６’に対応した位置に扉体連結孔２５及び２６を有しており、連結孔２５と連結孔２５’とを連結具（図示せず）で連結することで、壁体４へ固定されている。連結孔２６と連結孔２６’とは、回転部材２４に形成された回転孔２７と共に、壁体４、ベース部材２３及び回転部材２４の順で、連結具（図示せず）を用いて連結されている。これにより、回転部材２４のみが連結孔２６，２６´の連結位置を中心に回転するように扉体４に連結されている。回転部材２４に設けられた例えばプラスチック製の回転つまみ２８等をつかんで回動させることにより、回転部材２４は、開始位置２９ａより回動して、その終了位置２９ｂにおいてロック溝１１に受容される。そしてこの受容状態では、戸当り部のロック溝１１の端部が扉体４と回転部材２４とによって挟み込まれ、扉体４が閉じた状態に固定されるようになっている。このような回転式ロック２２を用いた簡便な機構によっても、扉体４のロック・アンロックを行うことができる。
【００３６】
さらに、扉体４及びベース部材２３の双方の対応する位置に表示孔９２及び９２’を形成することで、回転部材２４が開始位置２９ａにあるとき（即ち個室空間２が非使用状態にあるとき）には表示孔９２及び９２’が開放され、回転部材２４が終了位置２９ｂにあるとき（即ち個室空間２が使用状態にあるとき）には表示孔９２及び９２’が閉塞するので、建屋外部から扉部４の表示孔９２及び９２’の状態を確認するのみで、当該建屋１の利用の可否を視認することが可能となる。なお、回転式ロックのベース部材２３と回転部材２４は、各種のものを用いることができ、例えばダンボールで形成することも可能であり、この場合、建屋１の耐用期間終了後の廃棄、焼却及び再利用を容易に行うことも出来る。
【００３７】
以上説明した通り、本考案のダンボール製折畳み式建屋によれば、安価で取り扱い容易な個室空間を作り出すことが可能である。当該建屋は、壁の一部を三角形に折り込んだ柱を有することで、戸当り部分の強度が増し、併せて、棚、床、天井の部品を各々補強部品として用いることで、建屋の耐久性を高めることができる。柱には、スライド式又は回転式のロックを受容する孔があるので、利用者が個室空間をより安全に利用することが可能となる。さらに、天井に切り取り可能な窓が設けられ、必要に応じて、採光・換気を行うことができる。加えて、個室空間の入り口部分の床部分を折り曲げて段潰しを設けたことで、車椅子などの利用を考慮しても、耐久性を向上させることができる。
【符号の説明】
【００３８】
１：ダンボール製折畳み式建屋、２：個室空間、３：建屋本体、３ａ〜３ｃ：壁体（側壁）、４：扉体、５：棚体、６：床体、７：屋根体、１０：戸当り部、１１：ロック溝、１２：スライド式ロック
【図１】
0003149473.tif 000003
【図２】
0003149473.tif 000004
【図３】
0003149473.tif 000005
【図４】
0003149473.tif 000006
【図５】
0003149473.tif 000007
【図６】
0003149473.tif 000008
【図７】
0003149473.tif 000009